(57)【要約】【課題】放熱部の放熱性を低下させることなく、光軸の向きが変えられるＬＥＤ照明装置を提供することを目的とする。【解決手段】ＬＥＤランプ１５を光源にするＬＥＤ照明装置１０であって、ＬＥＤランプが前面２１に取り付けられた放熱部２０と、放熱部の前方に設けられたレンズ１７と、レンズを保持するレンズホルダ３０とを備え、ＬＥＤランプの光軸と直交する方向に延びる直交ガイド３６と、光軸と平行する方向に延びる平行ガイド３７とがレンズホルダに設けられると共に、直交ガイド及び平行ガイドにより案内される被ガイド部２６が放熱部に設けられ、放熱部に対しレンズホルダは、直交ガイドに沿って被ガイド部が案内されることにより光軸と直交する方向に相対変位し、且つ平行ガイドに沿って被ガイド部が案内されることにより光軸と平行する方向に相対変位することを特徴とするＬＥＤ照明装置。【選択図】図１
2011134686.tif 000002
【特許請求の範囲】
【請求項１】
ＬＥＤランプを光源にするＬＥＤ照明装置であって、
前記ＬＥＤランプが前面に取り付けられた放熱部と、前記放熱部の前方に設けられ、前記ＬＥＤランプからの光を透過するレンズと、前記放熱部を覆い、前記レンズを保持するレンズホルダとを備え、
前記ＬＥＤランプの光軸と直交する方向に延びる直交ガイドと、該直交ガイドに繋がり前記光軸と平行する方向に延びる平行ガイドとが前記レンズホルダに設けられると共に、前記直交ガイド及び前記平行ガイドにより案内される被ガイド部が前記放熱部に設けられ、
前記放熱部に対し前記レンズホルダは、前記直交ガイドに沿って前記被ガイド部が案内されることにより前記光軸と直交する方向に相対変位し、且つ前記平行ガイドに沿って前記被ガイド部が案内されることにより前記光軸と平行する方向に相対変位することを特徴とするＬＥＤ照明装置。
【請求項２】
前記放熱部に対する前記レンズホルダの位置を複数の所定位置から選択した一つの位置に位置決めする位置決め手段を有することを特徴とする請求項１記載のＬＥＤ照明装置。
【発明の詳細な説明】
【技術分野】
【０００１】
本発明は、ＬＥＤランプを光源にするＬＥＤ照明装置に関するものである。
【背景技術】
【０００２】
今日、エネルギ効率がよく、寿命も長いことからＬＥＤランプを光源にするＬＥＤ照明装置が、白熱電球や蛍光管等を光源に用いた従来の照明装置の代替として用いられる機会が多くなってきている。
【０００３】
ＬＥＤ照明装置の中には、特許文献１に記載のように、一つ又は二つのレンズを用い、光源とレンズとの距離やレンズ同士間の距離を変えることでＬＥＤ照明装置の集光性を変更するものや、特許文献２に記載のように、レンズ又は反射体を用い、光源とレンズ又は反射体との距離を変えることでＬＥＤ照明装置の集光性を変更するものや、特許文献３に記載のように、凹面鏡を用い、光源と凹面鏡との距離を変えることでＬＥＤ照明装置の集光性を変更するもの等が提案されている。
【０００４】
しかし、ＬＥＤ照明装置には、ＬＥＤランプの発光等に伴う熱を放熱してＬＥＤランプの温度上昇を抑制する放熱部を、ＬＥＤランプの背後に一体的に設ける必要がある。そのため、ＬＥＤ照明装置の光軸の向きを変えようとすると、ＬＥＤランプの向きを変えるだけではなく、放熱部の向きも変えなくてはならず、放熱部の放熱性を低下させるおそれがあった。
【先行技術文献】
【特許文献】
【０００５】
【特許文献１】特許第４２３５４２７号公報
【特許文献２】特許第４０３８１３６号公報
【特許文献３】特開２００８−９０００６号公報
【発明の概要】
【発明が解決しようとする課題】
【０００６】
そこで、本発明は、放熱部の放熱性を低下させることなく、光軸の向きが変えられるＬＥＤ照明装置を提供することを目的とする。
【課題を解決するための手段】
【０００７】
上記課題を解決するため、本発明のＬＥＤ照明装置は、ＬＥＤランプを光源にするＬＥＤ照明装置であって、前記ＬＥＤランプが前面に取り付けられた放熱部と、前記放熱部の前方に設けられ、前記ＬＥＤランプからの光を透過するレンズと、前記放熱部を覆い、前記レンズを保持するレンズホルダとを備え、前記ＬＥＤランプの光軸と直交する方向に延びる直交ガイドと、該直交ガイドに繋がり前記光軸と平行する方向に延びる平行ガイドとが前記レンズホルダに設けられると共に、前記直交ガイド及び前記平行ガイドにより案内される被ガイド部が前記放熱部に設けられ、前記放熱部に対し前記レンズホルダは、前記直交ガイドに沿って前記被ガイド部が案内されることにより前記光軸と直交する方向に相対変位し、且つ前記平行ガイドに沿って前記被ガイド部が案内されることにより前記光軸と平行する方向に相対変位することを特徴とする。
【０００８】
また、段階的に変化させた光学制御が行え、複数のＬＥＤ照明装置を用いる場合等に、各ＬＥＤ照明装置の光軸の向き等を揃えるような調光を容易に行うことができることから、前記放熱部に対する前記レンズホルダの位置を複数の所定位置から選択した一つの位置に位置決めする位置決め手段を有することが好ましい。
【０００９】
本発明における各要素の態様を以下に例示する。
【００１０】
１．ＬＥＤランプ
ＬＥＤランプとしては、特に限定はされず、レンズを備えるものでもよいし、レンズを備えないものでもよく、様々な指光角を有するものを用いることができる。また、ＬＥＤランプのタイプとしては、特に限定はされず、表面実装型（ＳＭＤ）でもよいし、弾丸型でもよい。
また、ＬＥＤランプの発光色としては、特に限定はされず、赤色、黄色、緑色、青色、紫色等の有彩色でもよいし、白色の無彩色でもよい。
また、用いられるＬＥＤランプは一つでもよいし、二つ以上でもよい。また、二つ以上のＬＥＤランプを用いる場合には、発光色が同じものを用いてもよいし、発光色が異なるものを用いてもよい。
【００１１】
２．レンズ
レンズとしては、特に限定はされず、所望の指光角等を得るために、凸レンズや凹レンズを選択して用いることができる。また、レンズを薄くでき、軽量化できることから、フレネルレンズであることが好ましい。
【００１２】
３．ガイド
直交及び平行のガイドとしては、特に限定はされないが、突条や溝等が例示できる。
【００１３】
４．位置決め手段
位置決め手段としては、特に限定はされないが、突起とこの突起に嵌合する凹部又は孔との組合せの態様、ピンとこのピンに嵌合する凹部又は孔との組合せの態様等が例示できる。
【発明の効果】
【００１４】
本発明によれば、放熱部の放熱性を低下させることなく、光軸の向きが変えられるＬＥＤ照明装置を提供することができる。
【図面の簡単な説明】
【００１５】
【図１】レンズの一部を破断した実施例１のＬＥＤ照明装置の斜視図である。
【図２】同ＬＥＤ照明装置の分解斜視図である。
【図３】同ＬＥＤ照明装置の正面図である。
【図４】同ＬＥＤ照明装置のレンズホルダが上下に移動した状態の断面図である。
【図５】同ＬＥＤ照明装置のレンズホルダが前後に移動した状態の断面図である。
【図６】実施例２のＬＥＤ照明装置の断面図である。
【発明を実施するための形態】
【実施例１】
【００１６】
本実施例のＬＥＤ照明装置１０を、図１〜図５を用いて説明する。なお、説明の便宜上、図１における上下左右をそれぞれＬＥＤ照明装置１０の上下左右とする。
【００１７】
ＬＥＤ照明装置１０は、外部から供給される電力により発光する４つのＬＥＤランプ１５と、４つのＬＥＤランプ１５が前面２１に取り付けられた放熱部２０と、前面板部３１にレンズ開口３２が設けられるとともに、前面板部３１の周囲に沿って後方へと突出する側壁部３３、３４が立設され、側壁部３３、３４により周りを囲むようにして放熱部２０を覆うレンズホルダ３０と、前面板部３１に取着し、レンズ開口３２を塞ぐレンズ１７とを備えている。
【００１８】
４つのＬＥＤランプ１５は、プリント回路基板１４に設けられている回路にそれそれが繋がるようにして、矩形状のプリント回路基板１４に取り付けられている。プリント回路基板１４には、先端にコネクタ１３が設けられたハーネス１２が取着しており、コネクタ１３を外部電源に繋ぐことにより、電力の供給を受けるようになっている。
【００１９】
放熱部２０は左右方向に長い矩形状の板であり、左右の両端には、それぞれ後方へと延びる端壁部２２が設けられるとともに、放熱性を高めるため、複数（９つ）のフィン２３を後面に突設している。また、前面２１の左右方向の略中央には、ＬＥＤランプ１５の光軸と前面２１とが直交するようにプリント回路基板１４が鋲着されている
端壁部２２の中間には、上下方向に長い半円柱状の嵌合突起２４が、左側の端壁部２２からは左側に、右側の端壁部２２からは右側にそれぞれ突出している。嵌合突起２４の上下方向の中間には内面に雌ネジが設けられたネジ孔２５が穿設されている。ネジ孔２５には係合ネジ２６が螺合している。
【００２０】
レンズホルダ３０は、前面板部３１が略正方形状をしており、レンズ開口３２も略正方形状をしている。側壁部３３、３４のうち、左右に位置する側壁部３４には、レンズホルダ３０の内側から外側へと膨らみ、前面板部３１と平行に上下方向へと延びる２本の突条３５が設けられている。また、２本の突条３５より後方の部位には、前面板部３１と平行に上下方向へと延びる上下溝３６が設けられ、上下溝３６の両端及び中間には、上下溝３６と直交し前方へと延びる３本の前後溝３７が設けられている。上下溝３６と前後溝３７とは互いに連通し、略同じ幅の開口となっている。そのため、上下溝３６と中間及び上又は下の前後溝３７とで囲まれた片部３８は、前側のみが側壁部３４の他部と繋がっていることから、押圧により弾性変形しやすくなっている。
【００２１】
このように構成されたレンズホルダ３０は、係合ネジ２６の軸部２６ａが前後溝３７に遊貫し、嵌合突起２４が突条３５の内側の凹溝３９に嵌合するようになっている。そのため、レンズホルダ３０は、突条３５と前後溝３７とが交わる６箇所のいずれかの位置において、放熱部２０に支持されるようになっており、例えば、図１においては、前側の突条３５と中間の前後溝３７とが交わる位置において、レンズホルダ３０は、放熱部２０に支持されている。従って、嵌合突起２４と凹溝３９とが、放熱部２０に対するレンズホルダ３０の位置を位置決めする位置決め手段４０となっている。また、レンズホルダ３０が放熱部２０に支持された状態においては、半円柱状の嵌合突起２４と凹溝３９とが嵌合していることから、放熱部２０の前面２１と前面板部３１とは平行になっている。
【００２２】
レンズ１７には、レンズ開口３２より一回り大きい凸レンズのフレネルレンズが用いられ、レンズ１７は、前面板部３１の後面に前面板部３１と平行になるように貼着されている。
【００２３】
ＬＥＤ照明装置１０は、ハーネス１２を通して供給された電力によりＬＥＤランプ１５が発光し、その発光に伴ってＬＥＤランプ１５から発せられた光をレンズ１７を通して、ＬＥＤ照明装置１０の外へと放出して、照明する。
【００２４】
次に、レンズホルダ３０が放熱部２０に支持される位置を変更する場合について説明する。
【００２５】
レンズホルダ３０は、嵌合突起２４に凹溝３９を嵌合させることにより、放熱部２０に支持されている。そのため、嵌合突起２４と凹溝３９との嵌合を外すことにより、レンズホルダ３０は、放熱部２０による支持が外れ、放熱部２０に対し、相対的に移動することができるようになる。一方、係合ネジ２６の軸部２６ａが前後溝３７に遊貫していることから、係合ネジ２６は、３本の前後溝３７及び３本の前後溝３７と連通している上下溝３６に案内される。そのため、レンズホルダ３０は、前後溝３７又は上下溝３６に沿って移動する。従って、嵌合突起２４と凹溝３９との嵌合が外れたレンズホルダ３０は、前後溝３７に沿って、放熱部２０に対し前後方向に移動し、上下溝３６に沿って、放熱部２０に対し上下方向に移動する。そして、突条３５と前後溝３７とが交わる６箇所のいずれかの位置において位置決めされて、放熱部２０に支持される。
【００２６】
次に、レンズホルダ３０が放熱部２０に支持される位置が変わることにより、ＬＥＤ照明装置１０の光軸や指光角が変わる様子を説明する。
【００２７】
図４のａに示すように、レンズホルダ３０が中間の前後溝３７において放熱部２０に支持されている場合には、ＬＥＤランプ１５はレンズ１７の後方の略中央に位置することから、ＬＥＤ照明装置１０の光軸ｃは略前方に向かって延びている。一方、図４のｂに示すように、レンズホルダ３０が上側の前後溝３７において放熱部２０に支持されている場合には、ＬＥＤランプ１５はレンズ１７の後方の上側に寄ったところに位置することから、ＬＥＤ照明装置１０の光軸ｃは下るように斜め前方に向かって延びている。従って、レンズホルダ３０を放熱部２０に対し上下方向に相対移動させることにより、ＬＥＤ照明装置１０の光軸ｃの向きが変わる。
【００２８】
図５のａに示すように、レンズホルダ３０が前側の突条３５の凹溝３９において放熱部２０に支持されている場合には、ＬＥＤランプ１５はレンズ１７の背後の近くに位置することから、ＬＥＤ照明装置１０の指光角は大きくなる。一方、図５のｂに示すように、レンズホルダ３０が後側の突条３５の凹溝３９において放熱部２０に支持されている場合には、ＬＥＤランプ１５はレンズ１７の背後から離れたところに位置することから、ＬＥＤ照明装置１０の指光角は小さくなる。従って、レンズホルダ３０を放熱部２０に対し前後方向に相対移動させることにより、ＬＥＤ照明装置１０の指光角が変わる。
【００２９】
本実施例のＬＥＤ照明装置１０によれば、次の（ａ）〜（ｅ）の効果が得られる。
（ａ）放熱部２０を動かすことなく、光軸及び指光角を変えることができる。
（ｂ）放熱部２０を動かすことなく、光軸及び指光角を変えることができることから、放熱性を低下させるおそれがない。
（ｃ）嵌合突起２４と凹溝３９とが嵌合することで、放熱部２０にレンズホルダ３０が支持されることから、ＬＥＤランプ１５の光軸とレンズ１７とが直交するようにできる。
（ｄ）放熱部２０に対しレンズホルダ３０を所定の６箇所のいずれかの位置に位置するようにできることから、段階的に変化させた光学制御が行える。
（ｅ）放熱部２０に対しレンズホルダ３０を所定の６箇所のいずれかの位置に位置するようにできることから、複数のＬＥＤ照明装置１０を用いる場合には、各ＬＥＤ照明装置１０の光軸及び指光角を容易に揃えることができる。
【実施例２】
【００３０】
本実施例のＬＥＤ照明装置５０を、図６を用いて説明する。ＬＥＤ照明装置５０は、左右に位置する側壁部５１に設けられた上下溝５２及び前後溝５３のみが、ＬＥＤ照明装置１０と異なることから、ＬＥＤ照明装置１０と異なる点について説明する。なお、説明の便宜上、図６における上下をＬＥＤ照明装置５０の上下とする。また、ＬＥＤ照明装置１０と同じ部材には、同じ符号を付している。
【００３１】
側壁部５１には、レンズホルダ３０の内側から外側へと膨らみ、上下方向へと前面板部３１と平行に延びる２本の突条３５が設けられている。そして、この２本の突条３５には、それぞれに前面板部３１と平行に上下方向へと延びる上下溝５２が設けられている。また、上下溝５２の中間には、上下溝５２と直交し、二つの上下溝５２を繋ぐ前後溝５３が設けられている。２本の上下溝５２と前後溝５３とは互いに連通し、略同じ幅の開口となっている。
【００３２】
本実施例のＬＥＤ照明装置５０によれば、上記（ａ）〜（ｃ）の効果に加え、次の（ｆ）の効果か得られる。
（ｆ）レンズホルダ３０が、上下方向の任意の位置において放熱部２０に支持されることから、連続的に変化させた光学制御（特に光軸の向きの変更）が行える。
【００３３】
なお、本発明は前記実施例に限定されるものではなく、発明の趣旨から逸脱しない範囲で適宜変更して具体化することもできる。
【符号の説明】
【００３４】
１０    ＬＥＤ照明装置
１５    ＬＥＤランプ
１７    レンズ
２０    放熱部
２１    前面
２４    嵌合突起
２６    係合ネジ
３０    レンズホルダ
３１    前面板部
３２    レンズ開口
３３    側壁部（上下）
３４    側壁部（左右）
３５    突条
３６    上下溝
３７    前後溝
３９    凹溝
４０    位置決め手段
５０    ＬＥＤ照明装置
５１    側壁部（左右）
５２    上下溝
５３    前後溝
【図１】
2011134686.tif 000003
【図２】
2011134686.tif 000004
【図３】
2011134686.tif 000005
【図４】
2011134686.tif 000006
【図５】
2011134686.tif 000007
【図６】
2011134686.tif 000008